(57)【要約】【課題】引きボルトに加えた引張り力及び柱を基礎から引き抜こうとする力によって発生する回転モーメントを小さく抑える引寄せ金物の提供。【解決手段】柱２の側面に固定するプレート部６と、プレート部６から基礎３へ向けて延びる引きボルト７と、一端側が引きボルト７に螺合すると共に、他端側が基礎３へ固定した緊結用アンカーボルト５´に螺合する長ナット８とから成る。長ナット８の一端側と他端側とは、互いに逆回りの雌ネジとしてある。【選択図】図１
2009138369.tif 000002
【特許請求の範囲】
【請求項１】
柱に取り付け、基礎に固定した緊結用アンカーボルトへ直結して、柱と基礎を緊結する引寄せ金物であって、柱の側面に固定するプレート部と、プレート部から基礎へ向けて延びる引きボルトと、一端側が引きボルトに螺合すると共に、他端側が緊結用アンカーボルトに螺合する長ナットとから成り、長ナットの一端側と他端側とを互いに逆回りの雌ネジとしてあることを特徴とした柱と基礎のアンカーボルトとを緊結する引寄せ金物。
【請求項２】
プレート部の両側部において基礎寄り端縁からやや間隔をあけた部分を外面側へ立ち上げ、立ち上げ部分の先端部に引きボルトを溶接してある請求項１に記載の柱と基礎のアンカーボルトとを緊結する引寄せ金物。
【請求項３】
プレート部の基礎寄り端部を外面側へ湾曲させてある請求項１又は２に記載の柱と基礎のアンカーボルトとを緊結する引寄せ金物。
【発明の詳細な説明】
【技術分野】
【０００１】
本発明は、木造住宅において、柱と基礎を引き寄せて緊結する引寄せ金物に関する。
【背景技術】
【０００２】
近年、木造住宅において、柱と基礎との連結箇所では、柱と梁のように構造的に重要な基礎の接合箇所では、引寄せ金物と称する引き抜き耐力が大きい接合金物を使用して、地震により発生する大きな引き抜き力に対抗し、家屋が直ちに倒壊するのを防ぐようになっている。  
特許文献１の引寄せ金物は、左右の固定板部と、固定板部の間をつないだ架橋板部とから成る一枚の板材を折り曲げたものであって、架橋板部から引寄せボルトを挿通する断面Ｕ字形の貫通係合部を形成してある。  
特許文献２のものは、左右の固定板部の間に、断面が長円形となるよう屈曲した貫通係合部を形成してある。
【０００３】
これら従来の引寄せ金物は、貫通係合部が長く張り出しているので、固定板部を柱に固定し、引寄せボルトを貫通係合部に挿通すると、柱と引寄せボルトとの距離が大きくなりやすい。  
従って、引寄せボルトを強く引いた時に大きな回転モーメントが働いて引寄せ金物の下端が柱に食い込むことがある。また、地震等により柱を引き抜こうとする力が働くと、柱の傾斜による回転モーメントも大きくなって、引寄せ金物が変形しやすい。
【０００４】
【特許文献１】特開２００３−２２７１７４号公報
【特許文献２】特開２００３−３０６９７４号公報
【発明の開示】
【発明が解決しようとする課題】
【０００５】
本発明が解決しようとする課題は、引きボルトに加えた引張り力、及び、柱を基礎から引き抜こうとする力によって発生する回転モーメントを小さく抑える引寄せ金物の提供にある。
【課題を解決するための手段】
【０００６】
本発明は、柱に取り付け、基礎に固定した緊結用アンカーボルトへ直結して、柱と基礎を緊結する引寄せ金物に関する。この引寄せ金物は、柱の側面に固定するプレート部と、プレート部から基礎へ向けて延びる引きボルトと、一端側が引きボルトに螺合すると共に、他端側が緊結用アンカーボルトに螺合する長ナットとから成る。長ナットの一端側と他端側とは、互いに逆回りの雌ネジとしてある。  
長ナットを一方向へ回転させると、引きボルトと緊結用アンカーボルトとが接近して、引寄せ金物を固定した柱が緊結用アンカーボルトを取り付けた基礎へ引き寄せられる。
【０００７】
プレート部の両側部において、基礎寄り端縁から数センチメートルの間隔をあけた部分を外面側へ立ち上げ、立ち上げ部分の先端部に引きボルトの基端部を溶接することがある。プレート部の立ち上げ部分よりも他端側の部分は、柱へ固定する固定部となっている。
プレート部の基礎寄り端部を外面側へ湾曲させると良い。
【発明の効果】
【０００８】
請求項１に係る発明によれば、引きボルト及び緊結用アンカーボルトを柱の側面に接近して設置できるので、柱を引き抜こうとする力によって加わる回転モーメントを小さく抑えることができ、このため、プレート部が変形や破損を起こし難く、引き抜き耐力が高まる。  
請求項２に係る発明によれば、引きボルト及び緊結用アンカーボルトを柱の側面に接近して設置できると共に、引きボルトをプレート部へその軸方向に沿って広い領域で溶接することができるので、強い引き寄せ力を加えても引きボルトが傾いたり曲がったりし難い。  
請求項３に係る発明によれば、引きボルトを強く引いたときに、プレート部が回転して、その基礎寄り端縁が柱に食い込むのを防ぐことができる。
【発明を実施するための最良の形態】
【０００９】
図１〜図３は、本発明の引寄せ金物１を使用し、柱２を基礎３へ引き寄せて緊結した構造を示す。  
基礎３の上面には土台４を載せて固定し、土台４の上に柱２を立設してある。基礎３には適宜間隔ごとにアンカーボルト５を植設し、このアンカーボルト５によって土台４を基礎３へ固定してある。  
また、柱２に近接して緊結用アンカーボルト５´を基礎３に植設してある。この緊結用アンカーボルト５´は、後述の柱側の引きボルトに対して固定側のボルトとなる。
【００１０】
引寄せ金物１は、柱２の側面に固定するプレート部６と、プレート部６から基礎３へ向けて延びる引きボルト７と、一端側が引きボルト７に螺合すると共に、他端側が緊結用アンカーボルト５´に螺合する長ナット８とから成る。  
プレート部６は、幅４０ｍｍ、長さ２４０ｍｍの強靭な金属製の帯板を素材とし、図４及び図５に示すように、その両側部において基礎３寄り端縁から４０ｍｍ程度の間隔をあけた部分を、長さ約８０ｍｍに亘って外面側へ立ち上げてある。この立ち上げ部分９の高さは２２ｍｍとし、左右の立ち上げ部分９間の間隔は、引きボルト７の直径と同程度としてある。  
プレート部６の基礎３寄りの端縁には外面側へ凹に湾曲した湾曲部１０を形成し、プレート部６の立ち上げ部分９よりも他端側の部分には、複数（本実施例では１０個）の固定孔１１を３列に形成してある。
【００１１】
引きボルト７は、直径１０．６ｍｍ、長さ１６０ｍｍであって、先端は右ねじの雄ねじ部７ａとしてある。緊結用アンカーボルト５´先端の雄ねじ部５´ａは左ねじとされている（図６）。  
引きボルト７とプレート部６は、引きボルト７の基端部をプレート部６の立ち上げ部分９の先端部間に嵌め込んで溶接することにより固定する。このとき、引きボルト７の先端部（雄ネジ部７ａ側の端部）が、プレート部６の基礎３寄りの端縁から６０ｍｍ程度突出する。  
図６に示すように、長ナット８の内周面には、長さ方向１／２の箇所を境にして一端側に右ねじである雌ネジ８ａが、他端側に左ねじである雌ネジ８ｂが形成されている。従って、雌ネジ８ａ，８ｂに引きボルト７の雄ネジ部７ａ及び緊結用アンカーボルト５´の雄ネジ部５´ａをそれぞれ螺合した状態で、長ナット８を一方向に回転させると、引きボルト７と緊結用アンカーボルト５´が引き寄せられ、逆方向に回転させると、引きボルト７と緊結用アンカーボルト５´は遠ざかる。
【００１２】
柱２を土台４すなわち基礎３へ緊結するには、長ナット８の一端側の雌ネジ８ａに引きボルト７の雄ネジ部７ａを途中までねじ込んだ状態で装着し、土台４から突出した緊結用アンカーボルト５´の雄ネジ部５´ａに長ナット８の他端側の雌ネジ８ｂを途中まで螺合する。  
次に、プレート部６を柱２の側面に当て、固定孔１１を通して柱２へビス１２をねじ込み、プレート部６を柱へ固定する。  
緊結用アンカーボルト５´は、プレート部６を柱２へ固定した時、引きボルト７と一直線上に位置するよう予め基礎３に植設しておく。  
【００１３】
次いで、長ナット８を一方向へ回動させ、引きボルト７と緊結用アンカーボルト５´とを接近させ、プレート部６と共に柱２を土台４（基礎３）へ強く引き寄せて結合する。時間経過に伴って木痩せが生じ、引き寄せ力が緩んだ場合は、長ナット８を再度一方向へ回動させることによって、引き寄せ力を増強できる。  
なお、引寄せ金物１の各部材の寸法、固定孔１１の数等は、必要とする耐力によって適宜変更することができる。
【図面の簡単な説明】
【００１４】
【図１】引寄せ金物の使用例を示す斜視図。
【図２】引寄せ金物の使用例を示す正面図。
【図３】引寄せ金物の使用例を示す側面図。
【図４】プレート部及び引きボルトの正面図。
【図５】プレート部及び引きボルトの断面図。
【図６】長ナットの断面図。
【符号の説明】
【００１５】
１  引寄せ金物
２  柱
３  基礎
４  土台
５  アンカーボルト
５´  緊結用アンカーボルト
５´ａ  雄ネジ部
６  プレート部
７  引きボルト
７ａ  雄ネジ部
８  長ナット
８ａ，８ｂ  雌ネジ
９  立ち上げ部分
１０  湾曲部
１１  固定孔
１２  ビス
【図１】
2009138369.tif 000003
【図２】
2009138369.tif 000004
【図３】
2009138369.tif 000005
【図４】
2009138369.tif 000006
【図５】
2009138369.tif 000007
【図６】
2009138369.tif 000008